(57)【要約】【課題】本発明は、光を集光させ輝度を向上させると同時に、視野角を拡大することのできる光学素子とこれを備えたバックライトユニット及び液晶表示装置に関する。【解決手段】上記の本発明の光学素子は、光透過性を有するベースフィルムと、上記ベースフィルムに入射した光を拡散させるようベースフィルムの一面に形成された複数の拡散凹部または拡散凸部と、上記拡散凹部または拡散凸部が形成されたベースフィルムの一面に入射光を集光させるよう形成された複数の集光突起からなる集光パターンと、を含む。本発明のバックライトユニットは上述した光学素子を備える。なお、本発明の液晶表示装置は上述したバックライトユニットを含み構成される。【選択図】図３
2010044386.tif 000002
【特許請求の範囲】
【請求項１】
光透過性を有するベースフィルムと、
前記ベースフィルムに入射した光を拡散させるようベースフィルムの一面に形成された複数の拡散凹部と、
前記拡散凹部が形成されたベースフィルムの一面に入射光を集光させるよう形成された複数の集光突起からなる集光パターンと、
を含むことを特徴とする光学素子。
【請求項２】
前記拡散凹部は、半球形の曲面を成すよう形成されたことを特徴とする請求項１に記載の光学素子。
【請求項３】
前記拡散凹部は、直径が前記集光突起の幅より大きく形成されたことを特徴とする請求項２に記載の光学素子
【請求項４】
前記拡散凹部は、楕円球形の曲面を成すよう形成されたことを特徴とする請求項１に記載の光学素子。
【請求項５】
前記拡散凹部は、短軸の長さが前記集光突起の幅より大きく形成されたことを特徴とする請求項４に記載の光学素子。
【請求項６】
前記拡散凹部は、非球面の曲面を成すよう形成されたことを特徴とする請求項１に記載の光学素子。
【請求項７】
前記半球形の拡散凹部は、直径と深さの割合が１：０．０５乃至１：５からなることを特徴とする請求項２に記載の光学素子。
【請求項８】
前記拡散凹部は、ベースフィルムの一面の総面積に対し１乃至７８．５％の面積比からなることを特徴とする請求項１に記載の光学素子。
【請求項９】
前記楕円球形の拡散凹部は、長軸と短軸の割合が１．１：１乃至５０：１からなることを特徴とする請求項４に記載の光学素子。
【請求項１０】
前記拡散凹部は、長軸が集光部の長さ方向と平行して配置されたことを特徴とする請求項９に記載の光学素子
【請求項１１】
前記複数の拡散凹部は、横及び縦方向に沿って規則的に配列されたことを特徴とする請求項１に記載の光学素子。
【請求項１２】
前記複数の拡散凹部は、横及び縦方向に沿って不規則的に配列されたことを特徴とする請求項１に記載の光学素子。
【請求項１３】
前記ベースフィルムの一面には、半球形の曲面を成すよう形成された拡散凹部と楕円球形の曲面を成すよう形成された拡散凹部が混在したことを特徴とする請求項１に記載の光学素子。
【請求項１４】
光透過性を有するベースフィルムと、
前記ベースフィルムに入射した光を拡散させるようベースフィルムの一面に形成された複数の拡散凸部と、
前記拡散凸部が形成されたベースフィルムの一面に入射光を集光させるよう形成された複数の集光突起からなる集光パターンと、
を含むことを特徴とする光学素子。
【請求項１５】
前記拡散凸部は、半球形の曲面を成すよう形成されたことを特徴とする請求項１４に記載の光学素子。
【請求項１６】
前記拡散凸部は、直径が前記集光突起の幅より大きく形成されたことを特徴とする請求項１４に記載の光学素子。
【請求項１７】
前記拡散凸部は、楕円球形の曲面を成すよう形成されたことを特徴とする請求項１４に記載の光学素子。
【請求項１８】
前記拡散凸部は、短軸の長さが前記集光突起の幅より大きく形成されたことを特徴とする請求項１７に記載の光学素子。
【請求項１９】
前記拡散凸部は、非球面の曲面を成すよう形成されたことを特徴とする請求項１４に記載の光学素子。
【請求項２０】
前記半球形の拡散凸部は、直径と高さの割合が１：０．０５乃至１：５からなることを特徴とする請求項１５に記載の光学素子。
【請求項２１】
前記拡散凸部は、ベースフィルム一面の総面積に対し１乃至７８．５％の面積比からなることを特徴とする請求項１４に記載の光学素子。
【請求項２２】
前記楕円球形の拡散凸部は、長軸と短軸の割合が１．１：１乃至５０：１からなることを特徴とする請求項１７に記載の光学素子。
【請求項２３】
前記拡散凸部は、長軸が集光部の長さ方向と平行して配置されたことを特徴とする請求項２２に記載の光学素子
【請求項２４】
前記複数の拡散凸部は、横及び縦方向に沿って規則的に配列されたことを特徴とする請求項１４に記載の光学素子。
【請求項２５】
前記複数の拡散凸部は、横及び縦方向に沿って不規則的に配列されたことを特徴とする請求項１４に記載の光学素子。
【請求項２６】
前記ベースフィルムの一面には、半球形の曲面を成すよう形成された拡散凹部と楕円球形の曲面を成すよう形成された拡散凹部が混在したことを特徴とする請求項１４に記載の光学素子。
【請求項２７】
請求項１乃至請求項２６のいずれか１項の光学素子を含むことを特徴とするバックライトユニット。
【請求項２８】
請求項２７のバックライトユニットを含むことを特徴とする液晶表示装置。
【発明の詳細な説明】
【技術分野】
【０００１】
本発明は、液晶表示装置用バックライトユニットに用いられる光学素子に関するもので、より詳しくは、集光を通して輝度を向上させると同時に、視野角を拡大することのできる光学素子とこれを備えたバックライトユニット及び液晶表示装置に関する。
【背景技術】
【０００２】
周知のように、液晶表示装置は、ノート型パソコンやデスクトップなどのパーソナルコンピュータ、ＴＶなどの様々な機器の映像表示手段として広く使われており、需要者のニーズに応えるようその特性も著しく改善されている。
【０００３】
上記液晶表示装置を成す液晶パネルは、自ら光を出すことができないためバックライトユニットを必要とする。このバックライトユニットは多様な光学系で構成され、特に輝度の向上のための光学素子を備える。
【０００４】
添付の図１は、従来の液晶表示装置の構造を図示した例示図であって、この液晶表示装置は、バックライトユニット１と液晶パネル２で構成され、上記バックライトユニット１は、光源１０、導光板１２、拡散シート１３、プリズムシート１４で構成される。これによって、光源１０から照射された光が導光板１２を通して広い面積に分散し、拡散シート１３を通してより均一な明るさの面光源に変形し、プリズムシート１４を通して集光されて輝度が向上する。
【０００５】
このような液晶表示装置において使われる光学素子は、高輝度を得ることを目的として集光機能を向上させることに対する技術の開発が中点として行われた。これは、従来に液晶表示装置が移動通信機器やノート型パソコンなどように、相対的に視野角の重要性が低かった個人用の電子機器に主に使用されたためである。
【０００６】
ところが、最近にはより広い視野角の確保が重要な問題として浮き彫りになっている。例えば、ＬＣＤＴＶの場合、様々な位置から多数の人が同時に視聴できるよう広い視野角が求められており、車のナビゲーションの場合にも運転席と助手席から同時に見られるように広い視野角が求められている。
【０００７】
上記のような輝度の向上及び視野角の拡張に対するニーズを満たすための従来の方法としては、複数の拡散シートを積層する方法とプリズム山にナノ粒子状のビーズを入れて光を散乱及び拡散させる方法がある。
【０００８】
しかし、拡散シートを３枚以上積層すると輝度が低下するだけでなく、厚さが厚くなり製品の薄型化に問題が生じ、ビーズを入れる場合には高価のビーズを使用することによってコストの上昇という経済的な側面での問題につながる。
【発明の概要】
【発明が解決しようとする課題】
【０００９】
本発明は、上記のような従来の技術の問題点を解決するため成されたもので、光源の光を集光して輝度を向上させると同時に、視野角を拡大することのできる光学素子を提供することにその目的がある。
【００１０】
また、本発明は、上記光学素子を備えたバックライトユニット及び液晶表示装置を提供することに他の目的がある。
【課題を解決するための手段】
【００１１】
上記の目的を達成すべく、本発明の光学素子は、光透過性を有するベースフィルムと、上記ベースフィルムに入射した光を拡散させるようベースフィルムの一面に形成された複数の拡散凹部または拡散凸部と、上記拡散凹部または拡散凸部が形成されたベースフィルムの一面に、入射光を集光させるよう形成された複数の集光突起からなる集光パターンと、を含み構成される。
【００１２】
ここで、上記拡散凹部または拡散凸部は、半球形の曲面、楕円球形の曲面、非球面の曲面のいずれかの曲面を成すよう形成される。
【００１３】
この際、上記半球形の拡散凹部または拡散凸部は、直径と深さ（または高さ）の割合が１：０．０５乃至１：５であることが好ましい。
【００１４】
また、上記拡散凹部または拡散凸部は、直径が上記集光突起の幅より大きく形成されることが好ましい。
【００１５】
そして、上記半球形及び楕円球形の拡散凹部または拡散凸部は、ベースフィルムの一面の総面積に対し１乃至７８．５％の面積比からなることが好ましい。
【００１６】
なお、上記楕円球形の拡散凹部または拡散凸部は、長軸と短軸の割合が１．１：１乃至５０：１であることが好ましい。
【００１７】
また、上記拡散凹部または拡散凸部は、短軸の長さが集光突起の幅より大きく形成されることが好ましい。 
【００１８】
また、上記拡散凹部または拡散凸部は、長軸が集光部の長さ方向と平行して配置されることが好ましい。
【００１９】
このような複数の拡散凹部または拡散凸部は、横及び縦方向に沿って規則的にまたは不規則的に配列されることができる。
【００２０】
選択的に、上記ベースフィルムの一面には半球形の曲面を成すよう形成された拡散凹部または拡散凸部と、楕円球形の曲面を成すよう形成された拡散凹部または拡散凸部とが混在することができる。
【００２１】
一方、上記の目的を達成すべく、本発明のバックライトユニットは、上述した光学素子が備えられることを特徴とする。
【００２２】
さらに一方、上記の目的を達成すべく、本発明の液晶表示装置は、上述したバックライトユニットが備えられたことを特徴とする。
【発明の効果】
【００２３】
上記のような手段により具現された本発明によると、ベースフィルムに入射した光が拡散凹部または拡散突部によって拡散し、集光パターンによって集光されるため、広い視野角の確保と輝度の向上を同時に達成することができ、複数の拡散シートを積層する従来の方式に比べて製品を薄型化することができ、ビーズを入れる従来の方式に比べて製造コストを低減することができるという効果がある。
【図面の簡単な説明】
【００２４】
【図１】従来の液晶表示装置を図示した例示図である。
【図２】本発明の光学素子の第１実施例を図示した平面図である。
【図３】図２のＡ−Ａ線の断面図である。
【図４ａ】拡散凹部の直径と深さを所定の割合に設定してシミュレーションを行った結果を図示した例示図である。
【図４ｂ】拡散凹部の直径と深さを所定の割合に設定してシミュレーションを行った結果を図示した例示図である。
【図５】図３の凹部を拡大して光の透過方向を図示した断面図である。
【図６ａ】本発明の光学素子の第１実施例による拡散凹部の他の実施例を図示した平面図である。
【図６ｂ】図６ａのＢ−Ｂ線の断面図である。
【図７ａ】本発明の光学素子の第１実施例による拡散凹部のまた異なる実施例を図示した断面図である。
【図７ｂ】本発明の光学素子の第１実施例による拡散凹部のまた異なる実施例を図示した断面図である。
【図８】本発明の光学素子の第２実施例を図示した平面図である。
【図９】図８のＣ−Ｃ線の断面図である。
【図１０】図９の凹部を拡大して光の透過方向を図示した断面図である。
【図１１ａ】本発明の光学素子の第２実施例による拡散凸部の他の実施例を図示した平面図である。
【図１１ｂ】図１１ａのＤ−Ｄ線の断面図である。
【図１２ａ】本発明の光学素子の第２実施例による拡散凸部のまた異なる実施例を図示した断面図である。
【図１２ｂ】本発明の光学素子の第２実施例による拡散凸部のまた異なる実施例を図示した断面図である。
【図１３】本発明の液晶表示装置を図示した例示図である。
【発明を実施するための形態】
【００２５】
以下では本発明の好ましい実施例を添付の図面を参照に詳しく説明する。
【００２６】
本発明による光学素子１００の第１実施例は、図２及び図３に図示されたように、光透過性を有するベースフィルム１１０と、このベースフィルム１１０の上面に形成されて、入射した光を拡散させる複数の拡散凹部１２０と、この拡散凹部１２０が形成されたベースフィルム１１０の上面に形成されて、入射した光を集光させる集光パターン１３０と、で構成される。
【００２７】
上記ベースフィルム１１０は、厚さの薄い膜で形成されて、光源から得た光を透過させるものであって、このようなベースフィルム１１０は、光透過性に優れたポリエチレン（ＰＥ、Ｐｏｌｙｅｔｈｙｌｅｎｅ）、ポリプロピレン（ＰＰ、Ｐｏｌｙｐｒｏｐｙｌｅｎｅ）、メタクリル樹脂（ＰＭＭＡ、Ｐｏｌｙｍｅｔｈｙｌ  Ｍｅｔｈａｃｒｙｌａｔｅ）、ポリカーボネート（ＰＣ、Ｐｏｌｙ  Ｃａｒｂｏｎａｔｅ）、ポリエチレンテレフタレート（ＰＥＴ、Ｐｏｌｙｅｔｈｙｌｅｎｅ  Ｔｅｒｅｐｈｔｈａｌａｔｅ）を含むプラスチック材料の中から選ばれたいずれかひとつからなることが好ましい。
【００２８】
上記拡散凹部１２０は、ベースフィルム１１０の上面に形成されて、入射した光を様々な方向に拡散させるものであって、好ましくは、半球形の曲面を成すよう形成される。上記拡散凹部１２０は、図２に図示されたように、等間隔を成しながら横及び縦方向に沿って規則的に配列−いわゆる‘マトリクス（ｍａｔｒｉｘ）配列’−されることが好ましいが、必要に応じて、互いの間隔を変えながら横及び縦方向に沿って不規則的（行と列が並んでいない）に配列されることができる。図面のうち未説明符号ｉ１は、各拡散凹部１２０の間の間隔を図示したものである。
【００２９】
ここで、拡散凹部１２０は、ベースフィルム１１０の下面に選択的に形成されえることを明らかにする。
【００３０】
このような拡散凹部１２０は、直径ｄ１と深さｈ１の割合が１：０．０５乃至１：５からなることが好ましい。
【００３１】
図４ａは、本出願人が拡散凹部１２０の直径ｄ１と深さｈ１を１：０．０４の割合に設定してシミュレーションを実行した結果であって、このような結果によると、拡散凹部１２０の直径ｄ１と深さｈ１の割合が１：０．０４である場合、光源から入射した光の屈折角が５°未満に形成されて出謝するため好ましい光の拡散効果を期待することができなくなる。
【００３２】
その反面、図４ｂは拡散凹部１２０の直径ｄ１と深さｈ１を１：５の割合に設定してシミュレーションを実行した結果であって、このような結果によると、拡散凹部１２０の直径ｄ１と深さｈ１の割合が１：５からなる場合、光源から入射した光の屈折角が大きく形成されて出謝するため光の拡散効果を極大化することが可能になる。
【００３３】
ここで、拡散凹部１２０の直径ｄ１と深さｈ１に対する割合は１：５を超えないことが好ましい。すなわち、拡散凹部１２０の直径ｄ１と深さｈ１の割合が１：５を超えると、拡散凹部１２０の深さｈ１が深すぎて、製作が難しくなるとともに、輝度が劣ることにつながるため産業上の利用可能性が低下する。
【００３４】
また、本発明は、光の輝度の向上とともに拡散の効果の向上を目的とするため、上記拡散凹部１２０は、ベースフィルム１１０の上面の総面積に対し１乃至７８．５％からなることが好ましい。これは拡散凹部１２０の面積比が７８．５％を超えると、拡散凹部１２０のみからなるパターンと比べたとき輝度の向上の効果が期待できなく、拡散凹部１２０の面積比が１％未満になると、拡散凹部１２０の面積比が少なすぎて光の拡散効果の向上を期待することが出来ないためである。さらに好ましくは、上記拡散凹部１２０はベースフィルム１１０の上面の総面積に対し１０乃至５０％の面積比を有するよう備えられる。
【００３５】
例えば、図２に図示されたように、ベースフィルム１１０が横及び縦がそれぞれ１０ｃｍの正方形からなり、拡散凹部１２０が半径０．５ｃｍの円形からなる場合、ベースフィルム１１０の面積は１００ｃｍ２（１０×１０）で、１２個の拡散凹部１２０が占める面積は９．４２ｃｍ２（１２×０．５×０．５×π）であるため、ベースフィルム１１０に対する拡散凹部１２０の面積比は９．４２％となる。ベースフィルム１１０の面積のうち上記拡散凹部１２０が占める９．４２％の面積を除いた残りの９０．５８％は後述する集光パターン１３０が占めるようになる。
【００３６】
上記のように、拡散凹部１２０が形成されたベースフィルム１１０の上面には、複数の集光突起１３２がつながれている集光パターン１３０が一体に備えられて、入射した光を集光させる。上記集光突起１３２は、入射光を屈折させて垂直に出謝させるよう、平行ではない少なくとも２つ以上の集光面１３２ｃを有する。ここで、集光突起１３２は、図３及び図５に図示されたように、ベースフィルム１１０の上面に斜めになっている両側斜辺部、すなわち、集光面１３２ｃを含む三角形の断面で形成される。従って、集光パターン１３０は、複数の集光突起１３２がつながって形成される。すなわち、集光パターン１３０は集光突起１３２の歯エッジ１３２ａと歯根１３２ｂが連続して繰り返して形成されたものである。
【００３７】
このような集光突起１３２は、光を集光させるよう二等辺三角形、レンチキュラー（Ｌｅｎｔｉｃｕｌａｒ）、カオスパターン（Ｃｈａｏｓ  Ｐａｔｔｅｒｎ）などからなる光学パターンで形成されることができることを明らかにする。
【００３８】
また、集光パターン１３０は、拡散凹部１２０が形成されたベースフィルム１１０の下面に選択的に形成されえることを明らかにする。前記 拡散凹部１２０は、直径が前記集光突起１３２の幅より大きく形成される。
【００３９】
添付の図５は、ベースフィルム１１０の上面に形成された拡散凹部１２０と集光パターン１３０を通過する光の透過方向を拡大して図示した例示図であって、ベースフィルム１１０の下部から入射した光は、拡散凹部１２０によって様々な方向に拡散し、集光パターン１３０によって集光されて垂直方向に透過するため、視野角の拡大とともに輝度を向上させるようになる。
【００４０】
一方、添付の図６ａ及び図６ｂは、本発明の第１実施例による拡散凹部１２０の他の実施例を図示した平面図及び断面図であって、光を拡散させる拡散凹部１２０は、図６ａに図示されたように、楕円球形の曲面を成すよう形成される。
【００４１】
このような拡散凹部１２０は、先に言及したように、ベースフィルム１１０の上面に形成され、入射した光を様々な方向に拡散させる。このような複数の拡散凹部１２０も、上述したように、一定な間隔を成しながら横及び縦方向に沿って規則的に配列されることが好ましいが、必要に応じて互いの間隔を変えながら横及び縦方向に沿って不規則的に配列されることができる。
【００４２】
特に、楕円球形の拡散凹部１２０は、図６ａに図示されたように、平面上に長軸と短軸を有するよう形成されるが、このような拡散凹部の長軸と短軸の割合が大きくなるほど拡散凹部の拡散力は徐々に低下するため、拡散凹部の長軸と短軸の割合は１．１：１乃至５０：１からなることが好ましい。すなわち、拡散凹部の長軸と短軸の割合が５０：１を超えると、上記集光突起に比べて拡散凹部を通した光の拡散力を期待することができない。上記拡散凹部１２０は、短軸の長さが前記集光突起１３２の幅より大きく形成される。上記拡散凹部１２０は、長軸が集光部の長さ方向と平行して配置される。
【００４３】
さらに一方、添付の図７の（ａ）及び（ｂ）は、本発明の第１実施例による拡散凹部１２０のまた異なる実施例を図示した断面図であって、光を拡散させる拡散凹部１２０は非球面の曲面を成すよう形成される。
【００４４】
すなわち、非球面の拡散凹部１２０は、中心点から同一あるいは一定な距離を保つのではなく、図７の（ａ）及び（ｂ）のように、中心点と曲面の間隔が急激に遠くなるか近くなるよう長さを変えたものである。
【００４５】
添付の図８乃至図１０は、本発明の光学素子の第２実施例による光学素子の 平面図と断面図及び光の透過方向を拡大図示した例示図である。光学素子の第２実施例は、光透過性を有するベースフィルム１１０と、このベースフィルム１１０の上面に形成され、入射した光を拡散させる複数の拡散凸部１４０と、この拡散凸部１４０が形成されたベースフィルム１１０の上面に備えられ、入射した光を集光させる集光パターン１３０と、で構成される。
【００４６】
すなわち、本発明の光学素子の第２実施例は、半球形の曲面を成すよう形成された拡散凸部１４０を特徴とする。このような拡散凸部１４０は、上述した拡散凹部１２０のようにベースフィルム１１０の上面に形成され、入射した光を様々な方向に拡散させる。そして、複数の拡散凸部１４０は、図６に図示されたように、一定な間隔を保ちながら横及び縦方向に沿って規則的に配列されることが好ましいが、必要に応じて、互いの間隔を変えながら横及び縦方向に沿って不規則的に配列されることができる。図面のうち未説明符号のｉ２は、複数の拡散凸部１４０の間の間隔を図示したものである。
【００４７】
ここで、拡散凸部１４０は、ベースフィルム１１０の下面に選択的に形成されえることを明らかにする。
【００４８】
このような拡散凸部１４０は、先に言及した拡散凹部１２０のように、直径ｄ２と高さｈ２の割合が１：０．０５乃至１：５からなることが好ましい。
【００４９】
そして拡散凸部１４０は、ベースフィルム１１０の上面の総面積に対し１乃至７８．５％からなることが好ましく、さらに好ましくは１０乃至７８．５％の面積比からなることが好ましい。
【００５０】
このように、言及した拡散凸部１４０の直径ｄ２と高さｈ２に対する割合、ベースフィルム１１０の上面の総面積に対して占める面積比による作用及び効果は、上述した拡散凹部１２０と同一であるため詳しい説明は省略する。
【００５１】
上記のように、拡散凸部１４０が形成されたベースフィルム１１０の上面には、複数の集光突起１３２がつながった集光パターン１３０が備えられて入射光を集光させるが、このような集光パターン１３０は、先に本発明の光学素子１００の第１実施例において記述した内容と同一であるため詳しい説明は省略する。
【００５２】
添付の図１０は、本発明の光学素子１００の第２実施例による拡散凸部１４０と集光パターン１３０を通して光の透過方向を拡大して図示した例示図であって、ベースフィルム１１０の下部から入射した光は、拡散凸部１４０によって様々な方向に拡散し、集光パターン１３０によって集光されて垂直方向に透過するため、視野角の拡大とともに輝度を向上させるようになる。
【００５３】
一方、添付の図１１ａ及び図１１ｂは、本発明の光学素子１００の第２実施例による拡散凸部１４０の他の実施例を図示した平面図及び断面図であって、光を拡散させる拡散凸部１４０は、図１１ａに図示されたものと類似するよう、楕円球形の曲面を成すよう形成される。
【００５４】
このような拡散凸部１４０は、先に言及したように、ベースフィルム１１０の上面に形成され、入射した光を様々な方向に拡散させる。このような複数の拡散凸部１４０も、上述したように、一定な間隔を保ちながら横及び縦方向に沿って配列されることが好ましいが、必要に応じて、互いの間隔を変えながら横及び縦方向に沿って配列されることができる。
【００５５】
特に、楕円球形の拡散凸部１４０は、図１１ａに図示されたように、平面上の短軸と長軸を有するよう形成され、このような拡散凸部１４０の長軸と短軸の割合は１．１：１乃至５０：１からなることが好ましく、このように言及した拡散凸部１４０の長軸と短軸の割合に対する作用は、上述した拡散凹部１２０と同一であるため省略する。
【００５６】
さらに一方、添付の図１２の（ａ）及び（ｂ）は、本発明の第２実施例による拡散凸部１４０のまた異なる実施例を図示した断面図であって、光を拡散させる拡散凸部１４０は非球面の曲面を成すよう形成される。
【００５７】
すなわち、非球面の拡散凸部１４０は、中心点から同一あるいは一定な距離を保つのではなく、図１２の（ａ）及び（ｂ）のように中心点と曲面の間隔が急激に遠くなるか近くなるよう長さを変えたものである。
【００５８】
添付の図１３は、上記のように構成された光学素子１００を備えた液晶表示装置を図示した例示図であって、本発明の光学素子１００を備えた液晶表示装置は、バックライトユニット２００と液晶パネル３００を含む。
【００５９】
ここで、バックライトユニット２００は、光を発生させる光源２１０と、この光源２１０から発生した光を全体面積に分布させる導光板２２０と、この導光板２２０から入射した光を均一な明るさの面光源に変形させる拡散シート２４０と、この拡散シート２４０から入射した光を集光させるプリズムシート２５０と、で構成される。
【００６０】
選択的に、上記バックライトユニット２００は、プリズムシート２５０から入射した光を選択的に反射させる反射偏光膜２６０と、この反射偏光膜２６０に透過された円偏光を線偏光に転換させる位相遅延層２７０をさらに含むことが出来る。
【００６１】
このように構成されたバックライトユニット２００と液晶パネル３００との間には、上記位相遅延層２７０から透過された線偏光はそのまま透過させ、円偏光の５０％は透過させ、残りは吸収する吸収型偏光膜３２０が介在される。
【００６２】
ここで、本発明の光学素子１００は、拡散シート２４０またはプリズムシート２５０で具現されるが、このように具現される場合、拡散シート２４０またはプリズムシート２５０のいずれかの一面には、入射光を拡散させる複数の拡散凹部１２０及び入射光を集光させる集光パターン１３０が備えられる。
【００６３】
これとは異なって、拡散シート２４０またはプリズムシート２５０のいずれかの一面には、入射光を拡散させる複数の拡散凸部１４０及び入射光を集光させる集光パターン１３０が備えられる。
【００６４】
また、以上で説明したベースフィルム１１０の構造及びそれによる効果は、導光板（ＬＧＰ）または導光フィルム（ＬＧＦ）などに適用できることは当然である。
【００６５】
以上の説明は、本発明による好ましい幾つの実施例を説明したことに過ぎず、本発明は、上述した実施例に限定されず添付の請求範囲内で多様に変形して実施することができる。
【図１】
2010044386.tif 000003
【図２】
2010044386.tif 000004
【図３】
2010044386.tif 000005
【図５】
2010044386.tif 000006
【図６ａ】
2010044386.tif 000007
【図６ｂ】
2010044386.tif 000008
【図７ａ】
2010044386.tif 000009
【図７ｂ】
2010044386.tif 000010
【図８】
2010044386.tif 000011
【図９】
2010044386.tif 000012
【図１０】
2010044386.tif 000013
【図１１ａ】
2010044386.tif 000014
【図１１ｂ】
2010044386.tif 000015
【図１２ａ】
2010044386.tif 000016
【図１２ｂ】
2010044386.tif 000017
【図１３】
2010044386.tif 000018
【図４ａ】
2010044386.tif 000019
【図４ｂ】
2010044386.tif 000020